(57)【要約】【課題】建物躯体を構成する梁の寸法変更や補強の程度を軽減できて、建物内空間が必要以上に狭くなるのを防止できるタワークレーン取付構造およびタワークレーン用架台の取り付け方法を提供すること。【解決手段】本発明のタワークレーン取付方法は、隣接する４本の柱１０１の間に接続された４本の梁１０２に、マストを支持するための本架台２２を有するタワークレーン１を取り付ける方法であって、互いに直交する２本の梁１０２の間に受梁２１０をそれぞれ掛け渡した後、これらの受梁２１０の上の略中央位置Ｃに本架台２２を取り付ける。【選択図】図２
2005350874.tif 000002
【特許請求の範囲】
【請求項１】
隣接する４本の柱の間に接続された４本の梁に、マストを支持するためのタワークレーン用架台を有するタワークレーンを取り付けるタワークレーン取付構造であって、
互いに直交する２本の前記梁の間に掛け渡される受梁を備え、
前記受梁の上に前記タワークレーン用架台が取り付けられることを特徴とするタワークレーン取付構造。
【請求項２】
請求項１に記載のタワークレーン取付構造において、
前記受梁は、前記梁における前記柱に近接した位置に掛け渡されていることを特徴とするタワークレーン取付構造。
【請求項３】
請求項１または請求項２に記載のタワークレーン取付構造において、
前記各受梁の略中央位置に、前記タワークレーン用架台が取り付けられていることを特徴とするタワークレーン取付構造。
【請求項４】
前記梁が鉄筋コンクリート製であることを特徴とする請求項１〜請求項３のいずれかに記載のタワークレーン取付構造。
【請求項５】
隣接する４本の柱の間に接続された４本の梁に、マストを支持するためのタワークレーン用架台を有するタワークレーンを取り付けるタワークレーン取付方法であって、
互いに直交する２本の前記梁の間に受梁をそれぞれ掛け渡した後、
これらの受梁の上に前記タワークレーン用架台を取り付けることを特徴とするタワークレーン取付方法。
【発明の詳細な説明】
【技術分野】
【０００１】
本発明は、柱および梁からなる建物躯体に、マストを支持するためのタワークレーン用架台を有するタワークレーンを取り付けるタワークレーン取付構造およびタワークレーン取付方法に関する。
【背景技術】
【０００２】
従来より、例えば、高層の建物を施工する場合には、マストを支持するためのタワークレーン用架台を有するタワークレーン（クライミングクレーン）が用いられている。このタワークレーンを用いて建物を施工する際には、建物躯体を構成する互いに平行な２本の梁間に、タワークレーン用架台の寸法に応じて数本の仮設梁を掛け渡した後、これらの仮設梁上にタワークレーン用架台を設置して実施している（特許文献１参照）。
【特許文献１】特開平８−５９１８０号公報
【発明の開示】
【発明が解決しようとする課題】
【０００３】
しかしながら、タワークレーン自体の荷重や、仮設梁の荷重、クレーンの吊り荷重等が比較的大きなものとなるため、建物躯体の梁をそのまま利用したのでは、これらの荷重を支持することができない。このため、タワークレーン用架台が設置される２本の梁の強度を増加させるために、これらの２本の梁の寸法を大きくしたり、補強材で補強すること等が考えられるが、この場合には、他の梁に比べて当該梁のみ強度が増して、建物躯体全体としての強度バランスが悪くなるという問題がある。また、当該梁の寸法が大きくなることにより、居室等の建物内空間が狭くなるという問題もある。
【０００４】
本発明の目的は、建物躯体を構成する梁の寸法変更や補強の程度を軽減できて、建物内空間が必要以上に狭くなるのを防止できるタワークレーン取付構造およびタワークレーン用架台の取り付け方法を提供することにある。
【課題を解決するための手段】
【０００５】
本発明は、隣接する４本の柱の間に接続された４本の梁に、マストを支持するためのタワークレーン用架台を有するタワークレーンを取り付けるタワークレーン取付構造であって、互いに直交する２本の前記梁の間に掛け渡される受梁を備え、前記受梁の上に前記タワークレーン用架台が取り付けられることを特徴とする。ここで、前記受梁としては、例えば、Ｈ型鋼やチャンネル材等の鋼材を適用できる。また、前記柱や梁は、鉄筋コンクリートや、鉄骨鉄筋コンクリート、鉄骨などにより構成できる。
【０００６】
本発明によれば、タワークレーン用架台から各受梁に掛かる荷重を互いに直交する２本の梁で受ける構造、すなわち、タワークレーン用架台の荷重を矩形状に接合された４本の梁で支持する構造としたので、互いに平行な２本の梁でタワークレーン用架台を支持する場合に比べて、各梁に掛かる荷重が低減する。このため、梁の寸法変更や補強の程度を軽減することができて、建物内空間が必要以上に狭くなるのを防止できる。
【０００７】
ここで、前記受梁は、前記梁における前記柱に近接した位置に掛け渡された構成を採用できる。このような構成によれば、受梁を梁における柱に近接した位置に掛け渡すことにより、タワークレーン用架台の荷重が梁の端部に掛かることになる。このため、梁の中央部に前記荷重が掛かる場合に比べて、梁に必要な剛性や強度が小さくて済むので、梁の寸法や補強の程度をより一層軽減できる。
【０００８】
以上のタワークレーン取付構造において、前記各受梁の略中央位置に、前記タワークレーン用架台が取り付けられた構成を採用してもよい。このような構成によれば、タワークレーン用架台の荷重が互いに直交する２本の梁に対して均等に掛かるため、これらの２本の梁の強度バランスが向上する。
【０００９】
以上のタワークレーン取付構造において、前記梁が鉄筋コンクリート製であってもよい。このように梁を鉄筋コンクリート製とした場合には、梁に対する補強が困難になるが、前記取り付け構造を採用することにより梁に必要な補強の程度が軽減するため、鉄筋コンクリート製の梁へのタワークレーン用架台の設置が簡単になる。
【００１０】
本発明は、隣接する４本の柱の間に接続された４本の梁に、マストを支持するためのタワークレーン用架台を有するタワークレーンを取り付けるタワークレーン取付方法であって、互いに直交する２本の前記梁の間に受梁をそれぞれ掛け渡した後、これらの受梁の上に前記タワークレーン用架台を取り付けることを特徴とする。
【発明の効果】
【００１１】
本発明のタワークレーン取付構造およびタワークレーン取付方法によれば、建物躯体を構成する梁の寸法変更や補強の程度を軽減できて、建物内空間が必要以上に狭くなるのを防止できるという効果がある。
【発明を実施するための最良の形態】
【００１２】
以下、本発明の一実施形態に係るタワークレーン取付構造を図面に基づいて説明する。まず、建物躯体１００に取り付けられるタワークレーン１について説明し、次に、タワークレーン１の取付構造について説明する。図１は、本実施形態に係るタワークレーン取付構造２を部分的に示す正面図である。図２は、図１のII−II平面図である。
図１に示すように、建物躯体１００は、例えば鉄筋コンクリート製の、柱１０１と梁１０２とにより構成されている。
【００１３】
図２に示すように、タワークレーン１は、隣接する４本の柱１０１と、これらの柱１０１の間に接続された４本の梁１０２とからなる水平架構１１０に取り付けられている。図１に示すように、タワークレーン１は、吊り荷を移動させるアーム状のジブ（図示略）と、このジブを支持するマスト１０と、このマスト１０を支持するとともに、油圧シリンダ等によりマスト１０に沿って昇降する一対のクライミング架台２０とを備えている。
【００１４】
図１に示すように、マスト１０は、油圧シリンダ等により伸縮可能に構成されている。  一対のクライミング架台２０は、仮設用の仮架台２１と、仮架台２１の下側に位置するタワークレーン用架台としての本架台２２とを備え、仮架台２１および本架台２２は、マスト１０に沿って昇降可能に構成されている。このような一対のクライミング架台２０では、仮架台２１をマスト１０に沿って上昇させて梁１０２に固定した後、本架台２２をマスト１０に沿って上昇させて柱１０１に固定し、その後、本架台２２からマスト１０を伸ばすことにより、建物躯体１００が上層に延びるのに応じて、本架台２２も上方へ移動させることができる。
【００１５】
仮架台２１は、本架台２２をマスト１０に沿って昇降させるために、一時的に本架台２２の代わりとして用いる架台であり、仮架台本体２１１と、仮架台本体２１１から突出した脚部２１２とを備えている。脚部２１２が梁１０２上に設置され、これにより、仮架台本体２１１が水平架構１１０に支持される。なお、脚部２１２は、仮架台本体２１１に対して蝶番２１３を介して接続され、蝶番２１３を回動させることにより、水平架構１１０の内側に収納可能である。
【００１６】
図２に示すように、本架台２２は、マスト１０を含むタワークレーン１全体を支持する台座であり、マスト１０を支持する架台本体３０と、架台本体３０から側方へ突出し、蝶番５０により回動自在に構成された例えば４本の脚部４０と、脚部４０の回動を規制するための斜材６０とを備えている。
架台本体３０は、マスト１０の周囲を囲む平面視Ｈ字状の本体部３１と、この本体部３１の図２中の上下端部３１Ａ，３１Ｂにそれぞれ取りつけられる棒状部３２とを備えている。脚部４０は、棒状部３２の両端部３２Ａ，３２Ｂに蝶番５０を介して接続されている。脚部４０は、蝶番５０により図２に示す実線Ｘの範囲で水平面に沿って回動し、水平架構１１０の内側に収納可能な構成となっている。また、斜材６０は、架台本体３０と各脚部４０との間に取り付けられ、脚部４０が水平架構１１０内に回動するのを規制する。
【００１７】
次に、以上のようなタワークレーン１を水平架構１１０に取り付ける方法および構造について、図２を参照して説明する。
まず、水平架構１１０の四隅部分、すなわち柱１０１に近接する位置において、互いに直交する２本の梁１０２の上に、例えばＨ型鋼等の鋼製の受梁２１０をそれぞれ掛け渡し、受梁２１０の両端部と梁１０２とを、締結部材２２０によってそれぞれ固定する。次に、蝶番５０により脚部４０を伸張させ、この伸張させた脚部４０を、受梁２１０が２本の梁１０２と当接する２つの当接位置Ａ，Ｂの略中央位置Ｃに配置する（図中の左上を参照）。その後、脚部４０と受梁２１０とを締結部材２２０によって固定する。次に、架台本体３０と各脚部４０との間に斜材６０を取り付けて、脚部４０の位置を伸張位置に固定する。
以上のような手順で、タワークレーン１が水平架構１１０に取り付けられ、タワークレーンの取付構造２が構成される。なお、本架台２２を昇降させる場合には、前記手順と逆の手順を実施して脚部４０を畳むことにより、本架台２２を水平架構１１０内で昇降できる。
【００１８】
本実施形態においては、次のような効果がある。
本架台２２から各受梁２１０に掛かる荷重を互いに直交する２本の梁１０２で受ける構造とし、全体として本架台２２の荷重を４本の梁１０２で支持する構造としたので、従前のように互いに対向する２本の梁１０２で本架台２２を支持する場合に比べて、各梁１０２に掛かる荷重が低減する。このため、梁１０２の寸法変更や補強の程度を軽減することができて、建物内空間が必要以上に狭くなるのを防止できる。
【００１９】
また、受梁２１０を柱１０１に近接した位置に掛け渡したため、本架台２２の荷重は梁１０２の端部近傍に掛かることになる。このため、梁１０２の中央部に荷重が掛かる場合に比べて、梁１０２に必要な剛性や強度を小さくて済むので、梁１０２の寸法や補強の程度をより一層軽減することができる。
【００２０】
さらに、受梁２１０と２本の梁１０２とが当接する２つの当接位置Ａ，Ｂの略中間の位置Ｃに本架台２２が設置された構成としたので、本架台２２の荷重が２本の梁１０２に対して均等に掛かるため、これらの２本の梁１０２の強度バランスが向上する。
【００２１】
また、本実施形態のように、梁１０２を例えば鉄筋コンクリート製とした場合には、梁１０２に対する補強が困難となるが、本取付構造２を採用することにより、梁１０２に必要な補強の程度が軽減するため、鉄筋コンクリート製の建物への本架台２２の設置が容易になる。
【００２２】
また、蝶番５０により水平架構１１０内に脚部４０が収納される構成としたので、本架台２２の昇降を行う際に、脚部４０が水平架構１１０に衝突しないから、本架台２２の昇降作業の作業性を向上できる。
【００２３】
なお、本発明は、前記実施形態に限定されない。例えば、当接位置Ａと当接位置Ｂとの略中央位置Ｃで脚部４０を支持する構成としたが、受梁２１０を支持する梁１０２の耐力に応じて、受梁２１０における、脚部４０を支持する位置を適宜、変更できる。
また、前記実施形態では、例えば、柱１０１および梁１０２を鉄筋コンクリート製としたが、これに限らず、鉄骨製や、鉄骨鉄筋コンクリート製としてもよい。
また、前記実施形態では、脚部４０の収納を可能にしていたが、脚部４０が収納できない構成であってもよい。また、蝶番５０により脚部４０の収納を可能にしていたが、油圧シリンダ等によって脚部４０が架台本体３０側から進退することにより、脚部４０を収納可能な構成としてもよく、脚部４０を収納する構成は特に限定されない。
【図面の簡単な説明】
【００２４】
【図１】本発明の実施形態に係るタワークレーンを部分的に示す正面図である。
【図２】図１のII−II平面図である。
【符号の説明】
【００２５】
１      タワークレーン
２      タワークレーン取付構造
１０      マスト
２０      一対のクライミング架台
２１      仮架台
２２      本架台
３０      架台本体
３１      本体部
３１Ａ，３１Ｂ      端部
３２      棒状部
３２Ａ，３２Ｂ      端部
４０      脚部
５０      蝶番
６０      斜材
１００      建物躯体
１０１      柱
１０２      梁
１１０      水平架構
１２０      耐震壁
２１０      受梁
２１１      仮架台本体
２１２      脚部
２１３      蝶番
２２０      締結部材
Ａ，Ｂ      当接位置
Ｃ      中央位置
【図１】
2005350874.tif 000003
【図２】
2005350874.tif 000004